【手続補正書】
【提出日】平成16年1月27日(2004.1.27)
【手続補正１】
【補正対象書類名】明細書
【補正対象項目名】特許請求の範囲
【補正方法】変更
【補正の内容】
【特許請求の範囲】
【請求項１】
記録媒体に記録される前の第１の信号と、前記第１の信号が記録された前記記録媒体から、前記第１の信号を再生して得られる第２の信号に基づいて、前記第２の信号を補正する係数を生成する学習手段
を備えることを特徴とする情報処理装置。
【請求項２】
前記学習手段により生成される前記係数、および、前記係数に対応する前記第１の信号に対して、対応するインデックスを付加するインデックス付加手段
をさらに備えることを特徴とする請求項１に記載の情報処理装置。
【請求項３】
前記学習手段により前記係数が生成された後、前記記録媒体に記録された前記第１の信号が再生されて、前記第２の信号が出力される場合、前記学習手段により生成され、かつ、前記インデックス付加手段により前記第１の信号に対応する前記インデックスが付加された前記係数に基づいて、前記第２の信号を補正する補正手段
をさらに備えることを特徴とする請求項２に記載の情報処理装置。
【請求項４】
前記第１の信号と前記インデックスを前記記録媒体に記録する記録手段と、
前記第１の信号を、前記記録媒体から再生して、前記第２の信号を出力する再生手段と
をさらに備えることを特徴とする請求項３に記載の情報処理装置。
【請求項５】
他の第１の情報処理装置により前記第１の信号が前記記録媒体に記録されたとき、前記他の第１の情報処理装置に対して、前記他の第１の情報処理装置により記録された前記第１の信号を、前記記録媒体から直ちに再生させるように制御する再生制御手段
をさらに備えることを特徴とする請求項１に記載の情報処理装置。
【請求項６】
前記学習手段により前記係数が生成された後、他の第２の情報処理装置により、前記他の第１の情報処理装置により記録された前記第１の信号が前記記録媒体から再生された場合、前記学習手段により生成された前記係数に基づいて、前記他の第２の情報処理装置により再生された前記第２の信号を補正する補正手段
をさらに備えることを特徴とする請求項５に記載の情報処理装置。
【請求項７】
前記他の第１の情報処理装置と、前記他の第２の情報処理装置は、信号を記録し、かつ、再生することが可能な同一の情報処理装置からなる
ことを特徴とする請求項６に記載の情報処理装置。
【請求項８】
前記第１の信号を前記記録媒体に記録させる記録手段と、
前記記録手段により前記記録媒体に記録された前記第１の信号を再生し、その結果得られる前記第２の信号を出力する再生手段と、
前記学習手段により生成された前記係数を記録する係数記録手段と
をさらに備えることを特徴とする請求項１に記載の情報処理装置。
【請求項９】
前記学習手段は、
前記第２の信号のクラスを決定するクラス決定手段と、
前記第１および前記第２の信号に基づいて、前記クラス決定手段により決定された前記クラスに対応する正規方程式を生成する方程式生成手段と、
前記方程式生成手段により生成された前記正規方程式に基づいて、前記係数を演算する係数演算手段と、
前記係数演算手段により演算された前記係数を記憶する係数記憶手段と
を有することを特徴とする請求項１に記載の情報処理装置。
【請求項１０】
前記係数記憶手段に記憶される前記係数は、前記クラス決定手段により決定された前記クラスと対応づけられて記憶される
ことを特徴とする請求項９に記載の情報処理装置。
【請求項１１】
前記情報処理装置は、前記学習手段により前記係数が生成された後、前記再生手段によって前記記録媒体に記録された前記第１の信号が前記第２の信号として出力された際に、前記第２の信号を補正する補正手段をさらに備え、
前記補正手段は、
前記第２の信号のクラスを決定するクラス決定手段と、
前記クラス決定手段により決定された前記クラスに対応する前記係数を前記係数記憶手段から読み出す係数読出手段と、
前記係数読出手段により読み出された前記係数と前記第２の信号とを用いる演算を行うことによって、前記第２の信号を補正した第３の信号を生成する演算手段と
を有することを特徴とする請求項１０に記載の情報処理装置。
【請求項１２】
情報処理装置の情報処理方法において、
記録媒体に記録される前の第１の信号と、前記第１の信号が記録された前記記録媒体から、前記第１の信号を再生して得られる第２の信号に基づいて、前記第２の信号を補正する係数を生成する学習ステップ
を含むことを特徴とする情報処理方法。
【請求項１３】
前記第１の信号を前記記録媒体に記録させる記録ステップと、
前記記録ステップの処理により前記記録媒体に記録された前記第１の信号を再生し、その結果得られる前記第２の信号を出力する再生ステップと、
前記学習ステップの処理により生成された前記係数を記録する係数記録ステップと
をさらに含むことを特徴とする請求項１２に記載の情報処理方法。
【請求項１４】
前記学習ステップの処理により前記係数が生成された後、前記記録媒体に記録された前記第１の信号が再生されて、前記第２の信号が出力される場合、前記学習ステップの処理により生成された前記係数に基づいて、前記第２の信号を補正する補正ステップ
をさらに含むことを特徴とする請求項１２に記載の情報処理方法。
【請求項１５】
情報処理装置を制御するコンピュータのプログラムであって、
記録媒体に記録される前の第１の信号と、前記第１の信号が記録された前記記録媒体から、前記第１の信号を再生して得られる第２の信号に基づいて、前記第２の信号を補正する係数を生成する学習ステップ
を含むことを特徴とするコンピュータが読み取り可能なプログラムが記録されている記録媒体。
【請求項１６】
前記学習ステップの処理により前記係数が生成された後、前記記録媒体に記録された前記第１の信号が再生されて、前記第２の信号が出力される場合、前記学習ステップの処理により生成された前記係数に基づいて、前記第２の信号を補正する補正ステップ
をさらに含むことを特徴とするコンピュータが読み取り可能なプログラムが記録されている請求項１５に記載の記録媒体。
【請求項１７】
情報処理装置を制御するコンピュータに、
記録媒体に記録される前の第１の信号と、前記第１の信号が記録された前記記録媒体から、前記第１の信号を再生して得られる第２の信号に基づいて、前記第２の信号を補正する係数を生成する学習ステップ
を実行させることを特徴とするプログラム。
【請求項１８】
前記学習ステップの処理により前記係数が生成された後、前記記録媒体に記録された前記第１の信号が再生されて、前記第２の信号が出力される場合、前記学習ステップの処理により生成された前記係数に基づいて、前記第２の信号を補正する補正ステップ
を前記コンピュータにさらに実行させることを特徴とする請求項１７に記載のプログラム。
【請求項１９】
第１の信号が、記録媒体に記録された後、再生され、第２の信号として出力される場合、前記第１および前記第２の信号に基づいて予め生成されている係数を検出し、検出した前記係数に基づいて、前記第２の信号を補正する補正手段
を備えることを特徴とする情報処理装置。
【請求項２０】
前記記録媒体には、前記第１の信号と前記係数とを対応付けるインデックスがさらに記録されており、
前記補正手段は、前記インデックスに基づいて前記第１の信号に対応する前記係数を検出し、検出した前記係数に基づいて、前記第２の信号を補正する
ことを特徴とする請求項１９に記載の情報処理装置。
【請求項２１】
前記補正手段は、
前記第２の信号のクラスを決定するクラス決定手段と、
前記クラス決定手段により決定された前記クラスに対応する前記係数を検出する係数検出手段と、
前記係数検出手段により検出された前記係数に基づいて、前記第２の信号を補正するために必要な演算を行う演算手段と
を有することを特徴とする請求項１９に記載の情報処理装置。
【請求項２２】
情報処理装置の情報処理方法において、
第１の信号が、記録媒体に記録された後、再生され、第２の信号として出力される場合、前記第１および前記第２の信号に基づいて予め生成されている係数を検出し、検出した前記係数に基づいて、前記第２の信号を補正する補正ステップ
を含むことを特徴とする情報処理方法。
【請求項２３】
情報処理装置を制御するコンピュータのプログラムであって、
第１の信号が、記録媒体に記録された後、再生され、第２の信号として出力される場合、前記第１および前記第２の信号に基づいて予め生成されている係数を検出し、検出した前記係数に基づいて、前記第２の信号を補正する補正ステップ
を含むことを特徴とするコンピュータが読み取り可能なプログラムが記録されている記録媒体。
【請求項２４】
情報処理装置を制御するコンピュータに、
第１の信号が、記録媒体に記録された後、再生され、第２の信号として出力される場合、前記第１および前記第２の信号に基づいて予め生成されている係数を検出し、検出した前記係数に基づいて、前記第２の信号を補正する補正ステップ
を実行させることを特徴とするプログラム。
【手続補正２】
【補正対象書類名】明細書
【補正対象項目名】００１４
【補正方法】変更
【補正の内容】
【００１４】
他の第１の情報処理装置と、他の第２の情報処理装置は、信号を記録し、かつ、再生することが可能な同一の情報処理装置からなるようにすることができる。
第１の信号を記録媒体に記録させる記録手段と、記録手段により記録媒体に記録された第１の信号を再生し、その結果得られる第２の信号を出力する再生手段と、学習手段により生成された係数を記録する係数記録手段とをさらに設けるようにすることができる。
【手続補正３】
【補正対象書類名】明細書
【補正対象項目名】００１５
【補正方法】変更
【補正の内容】
【００１５】
学習手段は、第２の信号のクラスを決定するクラス決定手段と、第１および第２の信号に基づいて、クラス決定手段により決定されたクラスに対応する正規方程式を生成する方程式生成手段と、方程式生成手段により生成された正規方程式に基づいて、係数を演算する係数演算手段と、係数演算手段により演算された係数を記憶する係数記憶手段とを有するようにすることができる。
係数記憶手段に記憶される係数は、クラス決定手段により決定されたクラスと対応づけられて記憶されるようにすることができる。
第１の情報処理装置は、学習手段により係数が生成された後、再生手段によって記録媒体に記録された第１の信号が第２の信号として出力された際に、その第２の信号を補正する補正手段をさらに設け、その補正手段は、第２の信号のクラスを決定するクラス決定手段と、クラス決定手段により決定されたクラスに対応する係数を係数記憶手段から読み出す係数読出手段と、係数読出手段により読み出された係数と第２の信号とを用いる演算を行うことによって、第２の信号を補正した第３の信号を生成する演算手段とを有するようにすることができる。
【手続補正４】
【補正対象書類名】明細書
【補正対象項目名】００１６
【補正方法】変更
【補正の内容】
【００１６】
本発明の第１の情報処理装置の情報処理方法は、記録媒体に記録される前の第１の信号と、第１の信号が記録された記録媒体から、第１の信号を再生して得られる第２の信号に基づいて、第２の信号を補正する係数を生成する学習ステップを含むことを特徴とする。
第１の信号を記録媒体に記録させる記録ステップと、記録ステップの処理により記録媒体に記録された第１の信号を再生し、その結果得られる第２の信号を出力する再生ステップと、学習ステップの処理により生成された係数を記録する係数記録ステップとをさらに含むようにすることができる。
【手続補正５】
【補正対象書類名】明細書
【補正対象項目名】００２５
【補正方法】変更
【補正の内容】
【００２５】
記録媒体には、第１の信号と係数とを対応付けるインデックスがさらに記録されており、補正手段は、そのインデックスに基づいて第１の信号に対応する係数を検出し、検出した係数に基づいて、第２の信号を補正するようにすることができる。